(57)【特許請求の範囲】
【請求項１】
火災用警告灯を具備し、消火栓弁収納部又は消火用ホース収納部を有するＡＥＤ収納部付の消火栓格納箱であって、
上記消火栓格納箱の内部にＡＥＤを収納し得るＡＥＤ収納部を設けると共に、該ＡＥＤ収納部を開閉し得るＡＥＤ収納扉を設け、
上記ＡＥＤ収納扉に上記ＡＥＤ収納部内に収納されたＡＥＤを確認し得る確認用窓を設けると共に、上記格納箱にＡＥＤが収納されている旨の表示を行い、
かつ上記ＡＥＤ収納部に上記ＡＥＤの上記収納部からの離脱を検出し得る離脱検出手段を設け、
該離脱検出手段の上記ＡＥＤの離脱検出に基づいて上記ＡＥＤが取り出された旨を警告表示するＡＥＤ用警告灯を上記火災用警告灯とは別に設け、
上記離脱検出手段の上記ＡＥＤの離脱検出に基づいて、上記ＡＥＤ用警告灯を以って上記ＡＥＤの離脱を第１の表示パターンにて警告表示する第１表示駆動手段を設けると共に、
上記ＡＥＤのバッテリー電圧検出手段を設け、
上記ＡＥＤのバッテリー電圧が所定基準値より低下したことを上記バッテリー電圧検出手段が検出したことに基づいて、上記ＡＥＤ用警告灯を以って上記ＡＥＤのバッテリー電圧の低下を第２の表示パターンにて警告表示する第２表示駆動手段を設けたものであることを特徴とするＡＥＤ収納部付の消火栓格納箱。
【請求項２】
上記ＡＥＤが離脱された旨を外部に通報し得る通報装置を設け、
上記離脱検出手段の上記ＡＥＤの離脱検出に基づいて、上記ＡＥＤが離脱された旨を上記通報装置から外部に通報し得るように構成したものであることを特徴とする請求項１記載のＡＥＤ収納部付の消火栓格納箱。
【請求項３】
上記消火栓格納箱に火災警報用発信機を設け、該火災警報用発信機と上記通報装置とを接続し、
上記通報装置は上記火災警報用発信機の非常ボタンが押されたことに基づいて火災が発生した旨を外部に通報するものであることを特徴とする請求項２記載のＡＥＤ収納部付の消火栓格納箱。
【請求項４】
上記消火栓格納箱に警報音を放出するためのスピーカを設け、
上記離脱検出手段の上記ＡＥＤの離脱検出に基づいて、上記スピーカからＡＥＤが離脱された旨の警報音を放出する警報音発生手段を設けたものであることを特徴とする請求項１〜３の何れかに記載のＡＥＤ収納部付の消火栓格納箱。
【請求項５】
上記ＡＥＤのバッテリー電圧の低下を上記バッテリー電圧検出手段が検出したことに基づいて、上記バッテリー電圧の低下を外部に通報する通報装置を設けたものであることを特徴とする請求項１記載のＡＥＤ収納部付の消火栓格納箱。
【発明の詳細な説明】
【技術分野】
【０００１】
本発明はＡＥＤ（自動体外式除細動器）の収納部を有する消火栓格納箱に関するものであり、ＡＥＤを使用中は警告等を行う機能を有するＡＥＤ収納部付の消火栓格納箱に関するものである。
【背景技術】
【０００２】
従来、ＡＥＤは専用の収納箱に収納され、駅のホームや駅構内、或いは建築物内のロビー等に設置されている（特許文献１）。
【０００３】
また、屋外に設置される防犯灯の支柱部分にＡＥＤを収納した収納箱を設置することも提案されている（特許文献２）。
【先行技術文献】
【特許文献】
【０００４】
【特許文献１】実用新案登録第３１４８４９２号
【特許文献２】実用新案登録第３１５１５２９号
【発明の概要】
【発明が解決しようとする課題】
【０００５】
ところで、上記特許文献のものでは、人命に係る緊急時において、予めＡＥＤの設置場所を知っている者が周囲に存在する場合であれば迅速な対応が可能であるが、ＡＥＤの設置位置は区々であるため、その設置場所が瞬時に分からない場合は、ＡＥＤを迅速に現場に持ち込むことができず、迅速対応が難しいという課題がある。
【０００６】
そこで、ＡＥＤを設置する場合は、その設置場所を多くの人に広く知ってもらう必要があるし、また、既に多くの人が存在を把握しているような場所に設置することが望ましい。
【０００７】
さらに、ＡＥＤが必要な緊急事態となった場合に、火災用警報と同様に、自動的に消防署等に通報できる装置があれば便宜である。
【０００８】
本発明は上記課題に鑑みてなされたものであり、商業ビル等の建造物に設置されている消火栓格納箱にＡＥＤの収納部を設け、緊急事態に迅速に対応可能なＡＥＤ収納部付の消火栓格納箱を提供することを目的とする。
【０００９】
また、本発明は上記消火栓格納箱からＡＥＤが取り出された場合は、自動的に外部等に通報する機能等を有するＡＥＤ収納部付の消火栓格納箱を提供することを目的とする。
【課題を解決するための手段】
【００１０】
上記の目的を達成するため本発明は、
第１に、火災用警告灯を具備し、消火栓弁収納部又は消火用ホース収納部を有するＡＥＤ収納部付の消火栓格納箱であって、上記消火栓格納箱の内部にＡＥＤを収納し得るＡＥＤ収納部を設けると共に、該ＡＥＤ収納部を開閉し得るＡＥＤ収納扉を設け、上記ＡＥＤ収納扉に上記ＡＥＤ収納部内に収納されたＡＥＤを確認し得る確認用窓を設けると共に、上記格納箱にＡＥＤが収納されている旨の表示を行い、かつ上記ＡＥＤ収納部に上記ＡＥＤの上記収納部からの離脱を検出し得る離脱検出手段を設け、該離脱検出手段の上記ＡＥＤの離脱検出に基づいて上記ＡＥＤが取り出された旨を警告表示するＡＥＤ用警告灯を上記火災用警告灯とは別に設け、上記離脱検出手段の上記ＡＥＤの離脱検出に基づいて、上記ＡＥＤ用警告灯を以って上記ＡＥＤの離脱を第１の表示パターンにて警告表示する第１表示駆動手段を設けると共に、上記ＡＥＤのバッテリー電圧検出手段を設け、上記ＡＥＤのバッテリー電圧が所定基準値より低下したことを上記バッテリー電圧検出手段が検出したことに基づいて、上記ＡＥＤ用警告灯を以って上記ＡＥＤのバッテリー電圧の低下を第２の表示パターンにて警告表示する第２表示駆動手段を設けたものであることを特徴とするＡＥＤ収納部付の消火栓格納箱により構成される。
【００１１】
上記ＡＥＤが収納されている旨の表示は、例えば上記確認用窓に記載された「ＡＥＤ」等の文字表示（１１ｃ’）をいう。上記離脱検出手段は例えば離脱検知部（２１）と離脱検出回路（２２）等により構成することができる。このような消火栓格納箱は、ビルの各階の廊下壁面等に設置されており、多くの人がその設置場所を予め認識しているので、当該消火栓格納箱にＡＥＤを収納しておき、ＡＥＤが収納されている旨の表示を行うことにより、人命に係る緊急時に迅速にＡＥＤを取り出して現場に持ち込むことができる。また、ＡＥＤが消火栓格納箱から取り出された状況において、人命に係る緊急事態が発生していることを火災警報とは区別して周囲の人々に警告することができる。上記第１の表示パターンは例えばＡＥＤ用警告灯をフラッシュ点滅する。第１表示駆動手段は例えば警告灯フラッシュ点滅回路（２５ａ）により構成することができる。このように構成すると、ＡＥＤが消火栓格納箱から取り出された状況において、人命に係る緊急事態が発生していることを火災警報とは区別して周囲の人々に警告することができる。上記バッテリー電圧検出手段は、例えばバッテリー電圧検出回路（２７）により構成することができる。上記第２の表示パターンは例えばＡＥＤ用警告灯を比較的ゆっくりと点滅する。上記第２表示駆動手段は例えば警告灯点滅回路（２５ｂ）により構成することができる。このように構成すると、ＡＥＤのバッテリー電圧が所定基準値より低下していることを、火災警報及び離脱検出とは区別して周囲に知らせることができ、バッテリー交換或いは充電等を迅速に行うことができる。
【００１２】
第２に、上記ＡＥＤが離脱された旨を外部に通報し得る通報装置を設け、上記離脱検出手段の上記ＡＥＤの離脱検出に基づいて、上記ＡＥＤが離脱された旨を上記通報装置から外部に通報し得るように構成したものであることを特徴とする上記第１記載のＡＥＤ収納部付の消火栓格納箱により構成される。
【００１３】
上記外部への通報は、上記通報装置（２４）から例えばビル内発信装置（３０）を通じて消防署等に通報することができるし、上記通報装置（２４）から直接消防署等に通報することもできる。従って、上記通報装置は上記通報装置（２４）又は上記通報装置（２４）及びビル内発信装置（３０）等により構成することができる。このように構成すると、ＡＥＤが使用中であり、緊急事態が発生していることを火災通報とは区別して消防署等に自動通報することができ、人命に係る緊急事態に迅速に対応することが可能である。
【００１４】
第３に、上記消火栓格納箱に火災警報用発信機を設け、該火災警報用発信機と上記通報装置とを接続し、上記通報装置は上記火災警報用発信機の非常ボタンが押されたことに基づいて火災が発生した旨を外部に通報するものであることを特徴とする上記第２記載のＡＥＤ収納部付の消火栓格納箱により構成される。
【００１５】
このように構成すると、火災発生時においても、上記通報装置を用いて外部への通報を行うことができる。
【００１８】
第４に、上記消火栓格納箱に警報音を放出するためのスピーカを設け、上記離脱検出手段の上記ＡＥＤの離脱検出に基づいて、上記スピーカからＡＥＤが離脱された旨の警報音を放出する警報音発生手段を設けたものであることを特徴とする上記第１〜３の何れかに記載のＡＥＤ収納部付の消火栓格納箱により構成される。
【００１９】
上記警報音発生手段は、警報音発生回路（２３）、警報音メモリ（２３ａ）等により構成することができる。警報音は、例えば電子音等の警報音のみならず、音声合成された人間の言葉による警報音、或いはその両方であっても良い。このように構成すると、ＡＥＤが消火栓格納箱から取り出された状況において、人命に係る緊急事態が発生していることを火災警報とは区別して周囲の人々に警告することができる。
【００２２】
第５に、上記ＡＥＤのバッテリー電圧の低下を上記バッテリー電圧検出手段が検出したことに基づいて、上記バッテリー電圧の低下を外部に通報する通報装置を設けたものであることを特徴とする上記第１記載のＡＥＤ収納部付の消火栓格納箱により構成される。
【００２３】
上記通報装置は、例えば外部のビル内発信装置（３０）により構成することができる。上記外部への通報は、上記バッテリー電圧検出手段から例えばビル内発信装置（３０）に対して行うことができる。このように構成すると、ＡＥＤのバッテリー電圧の低下を例えばビル内発信装置を設置した管理室内の管理者等に通報することができる。
【発明の効果】
【００２４】
本発明に係るＡＥＤ収納部付の消火栓格納箱によると、いわゆる消火栓格納箱は、例えばビルの各階の廊下壁面等に設置されており、多くの人がその設置場所を予め認識しているので、当該消火栓格納箱にＡＥＤを収納しておき、ＡＥＤが収納されている旨の表示を行うことにより、ＡＥＤが必要な緊急事態の発生時に、多くの人がＡＥＤの設置場所を容易に思い出すことができ、従って、人命に係る緊急時に迅速にＡＥＤを取り出して現場に持ち込むことができるという効果を奏するものである。
【００２５】
また、ＡＥＤが消火栓格納箱から取り出され、人命に係る緊急事態が発生していることを、火災警報とは区別して、周囲の人々に警告することができる。
【００２６】
また、ＡＥＤが消火栓格納箱から取り出され、人命に係る緊急事態が発生していることを火災通報とは区別して消防署等に自動通報することができ、人命に係る緊急事態に迅速に対応することが可能である。
【００２７】
また、火災発生時においても、通報装置を用いて外部への通報を確実に行うことができる。
【００２８】
また、ＡＥＤのバッテリー電圧が低下していることを警報することができ、バッテリー交換或いは充電等を迅速に行うことができる。
【００２９】
また、ＡＥＤのバッテリー電圧の低下を例えばビルの管理者、消防署等の外部に通報することができ、バッテリー交換或いは充電等を迅速に行うことができる。
【図面の簡単な説明】
【００３０】
【図１】本発明に係るＡＥＤ収納部付の消火栓格納箱の正面図である。
【図２】同上格納箱のＡ−Ａ線断面図である。
【図３】同上格納箱の収納扉を取り去った状態の正面図である。
【図４】何れも同上格納箱の側面断面図であり、（ａ）は露出型の格納箱、（ｂ）は埋込型の格納箱を示す。
【図５】（ａ）は同上格納箱のＡＥＤ用警告灯の横断面図、（ｂ）は同上格納箱のＡＥＤ用警告灯近傍の斜視図である。
【図６】同上格納箱の通報部の電気的構成を示すブロック図である。
【図７】何れも同上格納箱の離脱検知部近傍のブロック図であり、（ａ）は接触型の離脱検知部、（ｂ）は非接触型の離脱検知部を示す図である。
【図８】同上格納箱の上記通報部におけるＡＥＤ用警告灯の点滅駆動回路を示すブロック図である。
【図９】同上格納箱の上記通報部におけるバッテリー電圧検出回路の電気的構成図である。
【図１０】同上格納箱の他の実施形態を示す同上格納箱の正面図である。
【発明を実施するための形態】
【００３１】
図１に本発明に係るＡＥＤ収納部付の消火栓格納箱１を示す。同図において、上記消火栓格納箱１は、全体として直方体形状を成しており、下段に消火栓弁２を含む消火用ホース３を収納する消火用ホース収納部４、上段左側にＡＥＤ収納部５、上段右側に火災警報用発信機１７等の収納部６が構成されており、各収納部内は中央隔壁７、左右隔壁８により分離されている(図３参照)。
【００３２】
この消火栓格納箱１は、上記消火栓弁２に接続された消火用ホース３を収納する収納部４を有するものであるが、図１０に示すように、消火栓弁２のみを収納する消火栓弁収納部４’を有する消火栓格納箱であっても良い。また図１０の消火栓格納箱は火災警報用発信機を具備していないが、非常ベル、消火用ポンプユニット、ビル内発信装置に接続された火災用発信機を具備しても良い。
【００３３】
上記格納箱１は、前面側に上記各収納部４，５，６を区画する前面フレーム９を有しており、上記フレーム９により区画された各収納部４，５，６の前面開口部４ａ，５ａ，６ａに、各々下段扉１０、上段扉(左)（ＡＥＤ収納扉）１１、上段扉（右側）１２が開閉可能に設けられている。
【００３４】
上記下段扉１０は該扉１０の右端上下と上記フレーム９との間に支持された回転軸１０ａ，１０ａを中心として右側に開閉可能であり、上記上段扉１１は該扉１１の左端上下と上記フレーム９との間に支持された回転軸１１ａ，１１ａにより左側に開閉可能であり、上記上段扉１２は該扉１２の右端上下と上記フレーム９との間に支持された回転軸１２ａ，１２ａにより右側に開閉可能である。尚、１０ｂ，１１ｂ，１２ｂは各扉１０，１１，１２の開閉用の取手である。
【００３５】
上記扉１０の内部の収納部４内には、消火栓弁２に一端を接続された消火用ホース３の収納具１３が設けられている。図３に示すように、上記収納具１３は、収納部背面４ｂに一端を固定され、他端を収納部下面４ｃに設置されたＬ字型の縦方向支持棒１３ａ，１３ａが左右方向に隣接状態で固定されている。上記消火用ホース３は消火ノズル３ａを中心として環状に巻回収納されており、上記収納具１３は上記支持棒１３ａ，１３ａを以って上記巻回収納された消火用ホース３の前面側を保持し得るように構成されている。
【００３６】
上記上段扉１１は、その中央部に透明窓（確認用窓）１１ｃが設けられており、透明窓１１ｃの表面には「ＡＥＤ」（ＡＥＤが収納されている旨の表示１１ｃ’）との英文字が表示されており、内部にＡＥＤ(自動体外式除細動器、Ａｕｔｏｍａｔｅｄ  Ｅｘｔｅｒｎａｌ  Ｄｅｆｉｂｒｉｌｌａｔｏｒ)が収納されていることを表示し得るように構成している。この上段扉１１内の収納部５には、ＡＥＤ１４が収納設置されており（図３）、内部にＡＥＤ１４が設置されていることを上記透明窓１１ｃを介して確認できるように構成されている。従って、緊急時において上記上段扉１１を開けると図３に示すように収納部５内にＡＥＤ１４が設置されているため、当該ＡＥＤ１４を容易に取り出すことができるように構成されている。
【００３７】
また、上記フレーム９の上辺９ａの上記上段扉１１に対応する部分には、ＡＥＤ用警告灯１５が設けられている。このＡＥＤ用警告灯１５は上記フレーム９の上辺９ａの前面側に存在する前面部分１５ｃと、該前面部分１５ｃから引き続く上記格納箱１の上面１ａ側に位置する上面部分１５ｄとから構成されており（図５（ａ）（ｂ））、互いに直交する前面部分１５ｃと上面部分１５ｄからなる横断面略Ｌ字型の形状を有しており、外形状は全体として左右方向に細長い直方体形状に形成されている（図５（ｂ）参照）。また、上記ＡＥＤ用警告灯１５の前面部分１５ｃは上記フレーム９の上辺９ａに面一となり、上記上面部分１５ｄは上記上面１ａに面一となるように上記フレーム９に取り付けられている。このように警告灯１５を格納箱のフレーム９の面と面一とすることにより、格納箱１の前面から突出して形成された従来の警告灯に比べて、警告灯１５の損傷を防止することができる。
【００３８】
このＡＥＤ用警告灯１５は、例えば赤色の透光性部材から構成されており、内部に複数のＬＥＤ１５ａ，１５ｂが設けられている。この警告灯１５は、上記ＡＥＤ収納部５内のＡＥＤ１４を取り外したとき、これを電気的に検出し、フラッシュ点滅（短い間隔での点滅）し得るように構成している。さらに、上記ＡＥＤ１４の内蔵のバッテリー１４ａのバッテリー電圧検出回路２７（後述）がバッテリー電圧の低下を検出したとき、これを電気的に検出し、この場合は比較的ゆっくりとした間隔で点滅し得るように構成している。尚、上記警告灯１５は、常時はＡＥＤが収納されている旨の警告として点灯させておき、上記異常時にのみ上記フラッシュ点滅又は点滅を行わせて緊急事態等を警告するように構成することができる。
【００３９】
上記上段扉１２は、その扉前面に消火栓格納箱であることを示す赤色の火災用警告灯１６、及び火災通報用の非常ボタン１７ａを有する火災警報用発信機１７が設置されており、その収納部６内には後述の通報装置２４等を具備する電気回路基板（図６の通報部２０）が収納設置されている。図４（ａ）は露出型、同図（ｂ）は埋込型を示しており、Ｗは壁面、Ｇは地面を示す。
【００４０】
次に、上記ＡＥＤ１４の取り出し時の自動通報機能、警報機能、バッテリー電圧の監視機能等を実現する通報部２０について図５の電気的ブロック図に基づいて説明する。
【００４１】
図６は、本発明に係るＡＥＤ収納部付の消火栓格納箱１の通報部２０の電気的構成を示すものであり、該通報部２０は、ＡＥＤ１４の収納部５からの離脱を検知する離脱検知部２１、該離脱検知部２１によりＡＥＤ１４の離脱が検知されると、警報音発生回路２３、通報装置２４、警告灯駆動回路２５（警告灯フラッシュ点滅回路２５ａ）にその旨の信号（離脱検出信号）を送出する離脱検出回路２２、上記離脱検出信号の入力に基づいてスピーカ２６に警報信号（音声及び警報音）を送出して該スピーカ２６から音声及び警報音からなる警報を放音させる警報音発生回路２３、上記離脱検出信号の入力に基づいてビル内発信装置３０に向けてＡＥＤが離脱された旨の離脱通報信号を送出する通報装置２４、上記離脱検出信号の入力に基づいて警告灯１５のＬＥＤ１５ａをフラッシュ点滅（非常に短い間隔での点滅）させる警告灯フラッシュ点滅回路２５ａを具備している。
【００４２】
上記警報音発生回路２３は上記離脱検出信号が入力すると「ピー、ピー」等の電子音を上記スピーカ２６から放出すると共に、警告音メモリ２３ａに記憶されている音声データに基づいて「ＡＥＤの使用中です」との音声信号を上記スピーカ２６から放出させるものである。尚、上記電子音と人間の言葉による音声信号は両方放出しても良いし、何れか一方でも良い。
【００４３】
また、当該通報部２０にはＡＥＤ１４のバッテリー１４ａに接続され、常時バッテリー１４ａの充電電圧を検出し、該充電電圧が所定の基準電圧（所定基準値）Ｖｒ以下になるとそれを検出して警告灯点滅回路２５ｂ及びビル内発信装置３０にバッテリーの充電電圧が低下した旨の信号（バッテリー警報信号）を送出するバッテリー電圧検出回路２７を具備している。上記警告灯点滅回路２５ｂは上記警報信号が入力すると、警告灯１５のＬＥＤ１５ｂを比較的ゆっくりした間隔で点滅させるものである。尚、上述のように、常時は、上記警告灯駆動回路２５により上記警告灯１５を点灯させておくことができる。
【００４４】
２８は上記通報部２０の各回路に電源を供給するための電源装置であり、当該電源装置２８の各回路への給電を停止することで、上記スピーカ２６からの警報音の停止、上記警告灯１５の点滅動作の停止を行うことができる。
【００４５】
上記通報装置２４は、上記離脱検出信号の入力を検出すると上記ビル内発信装置３０に離脱通報信号を送出する検出部２４ａを具備している。また、この通報装置２４は、上記検出部２４ａにてＡＥＤの離脱が検出されると、該検出部２４ａが自動電話通報部２４ｂに電話通報指令を行い、該通報指令に基づいて自動電話通報部２４ｂが自動的に一般公衆回線３２を通じて消防署３１に電話を行う自動電話通報部２４ｂを具備することもできる（図６の破線経路Ｌ１参照）。即ち、上記自動電話通報部２４ｂを一般公衆回線３２に接続しておくことにより、上記離脱検出信号の検出に基づいて上記自動電話通報部２４ｂが消防署３１に自動的に電話通報を行うように構成することもできる。この場合、音声メモリ２４ｃ内のエリア１に記憶された、例えば「ＡＥＤが取り外されました」等の電子合成による音声信号により自動通報するように構成することができる。
【００４６】
尚、上記離脱検出信号のような異常検出信号の入力に基づいて各種外部機器に信号を送出し、かつ一般公衆回線を通じて予め定められた場所に自動的に電話通報する自動通報装置は市販されており、当該通報装置２４は市販されている汎用の自動通報装置を利用することができる。
【００４７】
火災警報用発信機１７は、ビル内の電気配線（経路Ｌ２）を通じてビル内発信装置３０に接続されており、上記経路Ｌ２には図示していないが、非常ベル駆動装置、地下等に設置された消火水槽内の水をくみ上げる消火ポンプユニットに接続されている。上記発信機１７はその非常ボタン１７ａが押されると、内部の発信回路から火災警報信号が上記ビル内発信装置３０、非常ベル駆動装置及び消火ポンプユニットに送出され、上記ビル内発信装置３０はその検出部３０ａにて上記火災警報信号を検出し、該検出に基づいて自動電話通報部３０ｂが消防署等に自動電話通報を行う。また、上記火災警報信号に基づいて非常ベルが鳴り、同時に上記消火ポンプユニットが動作して屋内消火配管内に消火水を導入する。これらの構成は屋内消火栓設備として公知の構成である。
【００４８】
本発明では、上記火災警報用発信機１７と上記通報装置２４を経路Ｌ３で電気的に接続し、火災発生時の非常ボタン１７ａが押された場合は、上記通報装置２４の検出部２４ａにて検出し、火災通報信号を通報装置２４（検出部２４ａ）からビル内発信装置３０に送出するように構成しても良い。また、上記非常ボタン１７ａが押された場合にも、自動電話通報部２４ｂから上記消防署３１に自動電話通報を行うように構成することもできる。この場合、音声メモリ２４ｃ内のエリア２に記憶された、例えば「火災が発生しました」等の電子合成による音声信号により自動通報するように構成することができる。勿論、上記発信機１７の非常ボタン１７ａが押された場合は、上記ビル内発信装置３０に直接火災通報信号が送出されるように構成しても良い（図５の破線経路Ｌ２）。
【００４９】
このように構成すると、ＡＥＤ１４の離脱検出時と、火災発生時の両方の外部への通報を、消火栓格納箱内の通報装置２４において共用して行うことができる。また、上記経路Ｌ２が何らかの原因で切断された場合でも、上記経路Ｌ３を介して上記通報装置２４により火災警報を行うことができるという効果がある。
【００５０】
上記ビル内発信装置（通報装置）３０は、当該消火栓格納箱１が設置されているビルの管理室等に設置されているものであり、通常はビルの各階に設置された消火栓格納箱１の各火災警報用発信機１７の非常ボタン１７ａが押されると、当該ビル内発信装置３０の検出部３０ａに火災通報信号が送出され、該検出部３０ａの上記火災通報信号の検出に基づいて、自動電話通報部３０ｂが自動的に消防署３１に一般公衆回線３２を介して電話通報するものである。
【００５１】
本発明においては、上記ビル内発信装置３０は、上記通報装置２４の検出部２４ａから上記離脱通報信号が入力すると、その検出部３０ａは自動電話通報部３０ｂに電話通報指令を送出し、自動電話通報部３０ｂは上記通報指令に基づいて、火事通報と同様に、一般公衆回線３２を介して消防署３１に自動的に電話通報するものである。尚、消防署３１への電話通報に当たっては、例えば自動音声信号にて通報し、その場合は、火災時とは異なる音声（例えば「ＡＥＤが取り外されました」等）にて通報し、火災発生時とは区別し得るように構成することが好ましい。尚、上記ビル内発信装置３０は、上記発信機１７からの火災通報信号が入力した場合の消防署３１への電話通報では、例えば「火災が発生しました」等の音声にてＡＥＤ離脱通報時と異なる音声で通報することができる。尚、上記自動通報の複数種の音声信号は、上記通報装置２４と同様に上記ビル内発信装置３０の音声メモリ３０ｃ内の各記憶エリア１〜３に予め記憶しておく。
【００５２】
また、上記ビル内発信装置３０の検出部３０ａは上記バッテリー電圧検出回路２７からバッテリー警報信号が入力すると、バッテリー警報ランプ３０ａ’を点灯させてＡＥＤのバッテリー電圧が低下した旨をビルの管理者等に警告し得るように構成されている。また、上記検出部３０ａは上記バッテリー警報信号が入力した場合は、自動電話通報部３０ｂに電話通報指令を送出し、上記電話通報部３０ｂはこれに基づいて、消防署３１に電話通報することもできる。この場合、例えば音声メモリ３０ｃの記憶エリア３に記憶されている「ＡＥＤのバッテリーの交換が必要です」等の自動音声信号にて通報することができる。
【００５３】
尚、上記火災通報信号のような異常検出信号の入力に基づいて各種外部機器に信号を送出し、かつ一般公衆回線を通じて予め定められた場所に自動的に電話通報する自動通報装置は市販されており、上記ビル内発信装置３０は市販されている汎用の自動通報装置を利用することができる。
【００５４】
図７は上記離脱検知部２１の具体的構成であり、同図（ａ）はＡＥＤ１４に設けられた突起２１ａと、該ＡＥＤ１４を収納部５内の所定の設置面３３に設置したとき、上記設置面３３に設けられた透孔３３ａを介して上記突起２１ａの押圧によりオフする検知スイッチ２１ｂ、該スイッチ２１ｂをオン位置に復帰するためのスプリング２１ｃ、上記検知スイッチ２１ｂを上記離脱検出回路２２に接続するための回路２１ｄにより構成されている。このように構成すると、上記ＡＥＤ１４を上記設置面３３から離脱すると、上記突起２１ａの離脱により上記検知スイッチ２１ｂがオンするため、当該スイッチ２１ｂのオンを上記離脱検出回路２２にて検出することによりＡＥＤ１４の離脱を検出することができる。
【００５５】
同図（ｂ）の離脱検知部２１は、非接触式の近接スイッチを使用したものであり、上記ＡＥＤ１４を上記設置面３３に設置したとき、上記透孔３３ａに対応するＡＥＤ１４の位置（底面）にマグネット２１ｅを設け、上記マグネット２１ｅに対応する位置に該マグネット２１ｅの接近を検出したときにオフし、上記マグネット２１ｅの離間を検出したときにオンし得るスイッチ２１ｅ’を設け、該スイッチ２１ｅ’を回路２１ｆにより上記離脱検出回路２２に接続したものである。このように構成すること、上記ＡＥＤ１４を上記設置面３３から離脱すると、上記スイッチ２１ｅ’が上記マグネット２１ｅの離脱を検出してオンするため、該スイッチ２１ｅ’のオンを上記離脱検出回路２２にて検出することができる。尚、上記離脱検知部２１は上記の実施形態に限らず、公知の接触スイッチ等、その他の構造により実現することが可能である。
【００５６】
図８に示すものは、上記警告灯フラッシュ点滅回路２５ａと上記警告灯点滅回路２５ｂの具体例であり、何れも上記ＬＥＤ１５ａ，１５ｂを点滅駆動するためのスイッチングトランジスタ３４ａ，３４ｂ、上記トランジスタ３４ａ，３４ｂにパルス信号を送出して開閉駆動するためのパルス駆動回路３５ａ，３５ｂを具備している。上記パルス駆動回路３５ａは上記離脱検出回路２２から離脱検出信号が入力すると周波数の高いパルス信号Ｐ１をトランジスタスイッチ３４ａに送出して上記ＬＥＤ１５ａをフラッシュ点滅させるものである。上記パルス駆動回路３５ｂは上記バッテリー電圧検出回路２７からバッテリー警報信号が入力すると、上記パルス信号Ｐ１より周波数の低いパルス信号Ｐ２をトランジスタスイッチ３４ｂに送出して上記ＬＥＤ１５ｂを比較的ゆっくりと点滅駆動するものである。よって、上記ＡＥＤ用警告灯１５の点滅の状況（点滅間隔）を見ることにより、ＡＥＤ１４の離脱の警告であるのか、ＡＥＤ１４のバッテリー電圧の低下であるのかを容易に判別することができる。
【００５７】
図９は上記バッテリー電圧検出回路２７の具体例であり、オペアンプ２７ａと基準電圧Ｖｒで比較回路を構成し、入力端子ａ，ｂをバッテリー１４ａに接続し、バッテリーの充電電圧と基準電圧Ｖｒとを比較し、バッテリー電圧が基準電圧Ｖｒ以下になったとき出力端子ａ’，ｂ’からバッテリー警報信号を出力するように構成したものである。尚、図９はバッテリー電圧検出回路２７の一例を示すものであり、同回路２７はかかる構成に限定されるものではない。
【００５８】
本発明は上述のように構成されるので、次に、本発明のＡＥＤ収納部付の消火栓格納箱の動作を説明する。
【００５９】
本発明のＡＥＤ収納部付の消火栓格納箱１は、例えば商業ビルの各階の廊下等に自立形式又は埋め込み状態で設置されているとする。そして、この消火栓格納装置１は消火用ホース収納部４内に図３に示すように消火栓弁２に接続された消火用ホース３が格納され、ＡＥＤ収納部５には同図に示すようにＡＥＤ１４が収納設置される。さらに、上記消火栓弁２はビル内の消火水槽への配管（図示せず）に接続され、上記通報部２０の通報装置２４はビル内発信装置３０に電気的に接続され、かつビル内発信装置３０の自動電話通報部３０ｂは一般公衆回線３２に接続されているものとする。また、上記離脱検出回路２２はその離脱検知部２１のスイッチ２１ｂ，２１ｅ’のオフを検出しており、ＡＥＤ１４の離脱検出待機状態となっているものとする。
【００６０】
そして、例えば当該ビル内にてＡＥＤを必要とする人命上の緊急事態が発生したとする。この場合、周囲の人々は、当該ビル内のＡＥＤ収納部付の消火栓格納箱１の設置位置を把握しており、かつその消火栓格納箱１の上段扉１１におけるＡＥＤが収納されている旨の表示１１ｃ’（「ＡＥＤ」表示）、ＡＥＤ用警告灯１５等により当該消火栓格納箱１にＡＥＤ１４が収納されていることを充分に認識しているので、直ちに、ＡＥＤを取り出すために上記消火栓格納箱１の場所に急行することができる。そして、上記消火栓格納箱１の上段扉１１を開いて容易にＡＥＤ１４を取り出すことができる。
【００６１】
このとき、ＡＥＤ１４が取り出されたことに基づいて、検知スイッチ２１ｂ(図７（ａ）)、スイッチ２１ｅ’（図７（ｂ））がオンするため、離脱検出回路２２がＡＥＤ１４の離脱を検出し、該離脱検出回路２２がこれに基づいて離脱検出信号を送出する。
【００６２】
すると、警報音発生回路２３は上記離脱検出信号の入力に基づいてスピーカから「ピー、ピー、ピー」等の警報音と、「ＡＥＤの使用中です」等の音声による警報が放出されて、周囲の人々に注意を喚起する。
【００６３】
さらに上記通報装置２４は上記離脱検出信号の入力に基づいて、その検出部２４ａが離脱通報信号を外部のビル内発信装置３０に向けて送出する。上記ビル内発信装置３０の検出部３０ａは、上記離脱通報信号の入力に基づいて自動電話通報部３０ｂに電話指令信号を送出する。上記自動電話通報部３０ｂは上記電話指令信号に基づいて予め設定されていた消防署３１に自動的に電話通報し、相手が応答したときに自動音声にて「ＡＥＤが取り外されました」等の音声を発する。よって、消防署３１にＡＥＤが使用中であり人命に係る緊急事態が発生していることを通報することができる。勿論、電話の発信元のビル、住所等の情報は例えば発信元の電話番号等に基づいて消防署３１にて特定することが可能である。
【００６４】
さらに、警告灯フラッシュ点滅回路２５ａは上記離脱検出信号の入力に基づいてＬＥＤ１５ａにパルス信号を送出し、これにより警告灯１５がフラッシュ点滅する。よって、周囲の人々は警告灯１５のフラッシュ点滅により、ＡＥＤ１４が使用中であり、人命に係る緊急事態が発生していることを知ることができる。
【００６５】
尚、上記緊急事態が終了した場合においては、上記警報音発生回路２３からの警報信号の送出、及び警告灯フラッシュ点滅回路２５ａのパルス駆動回路３５ａからのパルス信号の送出は、電源装置２８の電源スイッチのオフにより上記両回路２３，２５ａへの供電を停止することにより消勢（停止）することができる。
【００６６】
上記ＡＥＤ１４の使用が終了した場合は、該ＡＥＤ１４を再び上記ＡＥＤ収納部５内に設置することにより、上記検知スイッチ２１ｂ又はスイッチ２１ｅ’をオフ状態にすることで、再び離脱検出回路２２を離脱検出待機状態に設定することができる。
【００６７】
上記離脱検出待機状態において、ＡＥＤ１４のバッテリー１４ａが基準電圧Ｖｒ以下に低下したときは、バッテリー電圧検出回路２７が上記基準電圧以下になったことを検出し、バッテリー警報信号を警告灯点滅回路２５ｂ及びビル内発信装置３０の検出部３０ａに送出する。
【００６８】
上記警告灯点滅回路２５ｂは上記バッテリー警報信号の入力に基づいて、パルス駆動回路３５ｂがスイッチングトランジスタ３４ｂに周波数の低いパルス信号を送出するため、ＬＥＤ１５ｂが比較的ゆっくりした間隔で点滅を行う。よって、上記消火栓格納装置１の周囲の人々にＡＥＤ１４のバッテリー電圧が低下したことを知らせることができる。この場合、ビルの管理者等が上記警告灯１５ｂの点滅を確認した場合は、直ちにＡＥＤ１４のバッテリーの交換又は充電を行うことができる。また、上記バッテリー警報信号は、上記ビル内発信装置３０の検出部３０ａにも送出され、バッテリー警報ランプ３０ａ’が点灯するので、当該ビルの管理者等がこの警告ランプ３０ａ’を見ることにより、ＡＥＤ１４のバッテリー電圧の低下を容易に認識することができる。
【００６９】
尚、ビル内にＡＥＤ収納部付の消火栓格納箱が複数設置されている場合は、各格納箱に識別番号を付し上記バッテリー警報信号に固有の識別番号を含ませることにより、どの消火栓格納箱のＡＥＤのバッテリー切れかを判別し得るように構成することができる。
【００７０】
上記ビル内発信装置３０の検出部３０ａは、上記バッテリー警報信号の入力に基づいて自動電話通報部３０ｂに電話指令を行い、自動電話通報部３０ｂはこれに基づいて、消防署３１に自動的に電話通報を行う。上記自動電話通報部３０ｂは上記電話指令信号に基づいて予め設定されていた消防署３１に自動的に電話通報し、相手が応答したときに自動音声にて「ＡＥＤのバッテリー電圧が低下しました」等の音声を発する。よって、消防署３１にＡＥＤのバッテリーの交換又は充電が必要である旨通報することができる。
【００７１】
尚、火災発生時において、火災警報用発信機１７の非常ボタン１７ａが押圧された場合は、上記通報装置２４又は発信機１７から直接に、ビル内発信装置３０に火災警報信号が送出され、上記ビル内発信装置３０は上記火災警報信号の入力に基づいて消防署３１に自動的に「火災が発生した旨」の電話通報を行うものである。
【００７２】
本発明のＡＥＤ収納部付の消火栓格納箱によると、該消火栓格納箱１は、例えばビルの各階の廊下壁面等に設置されており、多くの人がその設置場所を予め認識しているので、当該消火栓格納箱１にＡＥＤ１４を収納しておき、ＡＥＤ１４が収納されている旨の表示を行うことにより、ＡＥＤ１４が必要な緊急事態の発生時に、多くの人がＡＥＤ１４の設置場所である消火栓格納箱１の位置を容易に思い出すことができ、従って、人命に係る緊急時に迅速にＡＥＤ１４を取り出して現場に持ち込むことができる。
【００７３】
また、ＡＥＤ１４が消火栓格納箱１から取り出され、緊急事態が発生していることを周囲の人々に警告することができ、これにより人命救助に係るより適切な対応を行うことができる。
【００７４】
また、ＡＥＤ１４が使用中であり、緊急事態が発生していることを例えば消防署等の外部機関に自動通報することができ、人命に係る緊急事態に迅速に救急車を手配する等の極めて迅速な対応が可能である。
【００７５】
また、ＡＥＤ１４のバッテリー電圧が低下していることを、ビルの管理室（管理者）又は消防署に警報することができ、バッテリー交換或いは充電等を迅速に行うことができる。
【００７６】
また、ＡＥＤ１４の離脱検出時と、火災発生時の両方の外部への通報を、消火栓格納箱内の通報装置２４において共用して行うことができ、通常の火災警報用屋内配線（上記経路Ｌ２）が何らかの原因で切断或いは通信不能になった場合でも、本発明の消火栓格納箱内の通報装置２４により外部等に火災警報を行うことができるという効果がある。
【産業上の利用可能性】
【００７７】
本発明に係るＡＥＤ収納部付の消火栓格納箱は、商業ビル、アパート等の住居、駅等の公共施設等、消火設備が必要な建造物に広く適用が可能である。
【符号の説明】
【００７８】
１        ＡＥＤ収納部付の消火栓格納箱
４        消火用ホース収納部
４’      消火栓弁収納部
５        ＡＥＤ収納部
１１      上段扉（ＡＥＤ収納扉）
１１ｃ    透明窓（確認用窓）
１１ｃ’  ＡＥＤが収納されている旨の表示
１４      ＡＥＤ
１５      ＡＥＤ用警告灯
１６      火災用警告灯
１７      火災警報用発信機
１７ａ    非常ボタン
２１      離脱検知部
２２      離脱検出回路
２３      警告音発生回路
２３ａ    警告音メモリ
２４      通報装置
２５      警告灯駆動回路
２５ａ    警告灯フラッシュ点滅回路（第１表示駆動手段）
２５ｂ    警告灯点滅回路（第２表示駆動手段）
２６      スピーカ
２７      バッテリー電圧検出回路（バッテリー電圧検出手段）
３０      ビル内発信装置（通報装置）
Ｖｒ      基準電圧（所定基準値）
【図１】
0005530248.tif 000002
【図２】
0005530248.tif 000003
【図３】
0005530248.tif 000004
【図４】
0005530248.tif 000005
【図５】
0005530248.tif 000006
【図６】
0005530248.tif 000007
【図７】
0005530248.tif 000008
【図８】
0005530248.tif 000009
【図９】
0005530248.tif 000010
【図１０】
0005530248.tif 000011